(57)【要約】製紙過程において希薄紙料パイプのプロセス流動内へ化学物質を混合する方法を開示している。化学物質は、希薄紙料パイプから取り出された製造過程流動の一部に添加される。この混合物は、次いで、希薄紙料パイプへ送られて、プロセス流動と混合される。【選択図】なし
2009520122.tif 000002
【特許請求の範囲】
【請求項１】
製紙過程において希薄紙料パイプのプロセス流動内へ１又はそれ以上の化学物質を混合する方法において：
ａ．前記製紙過程を稼働させ、前記希薄紙料パイプを通して前記プロセス流動を流すステップと；
ｂ．前記希薄紙料パイプから前記プロセス流動の部分を取り出すステップと；
ｃ．前記化学物質を前記プロセス流動の前記部分へ添加して、混合物を形成するステップと；
ｄ．前記混合物を前記希薄紙料パイプ内へ送り込んで、前記混合物を前記プロセス流動と混合するステップと；
を具えることを特徴とする方法。
【請求項２】
請求項１に記載の方法において、前記化学物質が、化学物質を供給するための１又はそれ以上の装置によって前記部分へ添加されることを特徴とする方法。
【請求項３】
請求項１に記載の方法において、前記化学物質が、一時的、連続的、断続的、又は予め設定されたときに前記部分へ添加されることを特徴とする方法。
【請求項４】
請求項１に記載の方法において、前記化学物質が、殺虫剤、補強剤、増白剤、染色剤、フィラー、サイズ剤、保持補助剤、排水補助剤、凝集剤、洗浄補助剤、消泡剤、分散剤、ナノ粒子、マイクロ粒子、固定剤、凝固剤、及びこれらの混合物を含むグループから選択されることを特徴とする方法。
【請求項５】
請求項１に記載の方法において、前記化学物質が、浄水；希薄紙料；澄んだ濾液；及び白濁水を含むグループから選択されたキャリアによって、前記部分へ添加されることを特徴とする方法。
【請求項６】
請求項１に記載の方法において、前記プロセス流動が前記希薄紙料を具えることを特徴とする方法。
【請求項７】
請求項２に記載の方法において、前記装置が１又はそれ以上の投与ポンプであることを特徴とする方法。
【請求項８】
製紙過程において希薄紙料パイプのプロセス流動内へ１又はそれ以上の化学物質を混合する方法において：
ａ．前記希薄紙料パイプと連通する一連の入口と出口の間に位置する１又はそれ以上の側留を前記希薄紙料パイプの周辺に設けるステップであって、前記側留が、前記化学物質を前記側留へ添加することができる１又はそれ以上の開口を具えるステップと；
ｂ．化学物質を供給するための１又はそれ以上の装置を提供し、前記装置が、前記側留の前記開口と連通しているステップと；
ｃ．前記製紙過程を稼働させ、前記希薄紙料パイプを通して前記プロセス流動を流すステップと；
ｄ．前記プロセス流動の部分を前記側留内へ前記希薄紙料パイプの前記入口から取り出すステップと；
ｅ．前記装置によって、前記化学物質を前記側留へ添加して、混合物を形成するステップと；
ｆ．前記混合物を前記出口を通して前記希薄紙料パイプ内へ送り込んで、前記混合物を前記プロセス流動と混合するステップと；
を具えることを特徴とする方法。
【請求項９】
請求項８に記載の方法において、前記装置が、前記側留の前記出口に近接していることを特徴とする方法。
【請求項１０】
請求項８に記載の方法において、前記化学物質が、一時的、連続的、断続的、又は予め設定されたときに前記側留へ添加されることを特徴とする方法。
【請求項１１】
請求項８に記載の方法において、前記化学物質が、殺虫剤、補強剤、増白剤、染色剤、フィラー、サイズ剤、保持補助剤、排水補助剤、凝集剤、洗浄補助剤、消泡剤、分散剤、ナノ粒子、マイクロ粒子、固定剤、凝固剤、及びこれらの混合物を含むグループから選択されることを特徴とする方法。
【請求項１２】
請求項８に記載の方法において、前記化学物質が、浄水；希薄紙料；澄んだ濾液；及び白濁水を含むグループから選択されたキャリアによって前記側留へ添加されることを特徴とする方法。
【請求項１３】
請求項８に記載の方法において、前記プロセス流動が前記希薄紙料を具えることを特徴とする方法。
【請求項１４】
請求項８に記載の方法において、前記装置が１又はそれ以上の投与ポンプであることを特徴とする方法。
【発明の詳細な説明】
【技術分野】
【０００１】
この開示は、製紙過程において希薄紙料パイプのプロセス流動内へ化学物質を混合する方法に関する。
【背景技術】
【０００２】
製紙過程において、希薄紙料(thin stock)パイプのプロセス流動内へ化学物質を混合する従来のシステムは、懸濁物として化学物質を希薄紙料パイプ内へ直接的に添加する。この添加方法によると、化学物質は、希薄紙料パイプフロー内へすぐに浸透したり希釈されないが、化学物質がわずかな流量しか流れないため、しばしば、希薄紙料パイプフローの境界層に滞留してしまう。境界層に局所的な過度の投与が生じ、化学物質は、乱流拡散でゆっくりと薄められる。
【０００３】
これらのシステムは、深刻な局所的な凝集と化学物質の不活性化という問題を有する。それゆえ、最終的に、完全に混合された状態に達した場合でも、化学物質の一部は不活性となり、例えば希薄紙料などのプロセス流動の凝集粒子の分散は、かなり不均一である。製紙過程において希薄紙料パイプのプロセス流動内へ化学物質を混合する方法を改良するためには、これらに対処する必要がある。
【発明の開示】
【課題を解決するための手段】
【０００４】
本発明は、製紙過程を稼働させ、前記希薄紙料パイプを通して前記プロセス流動を流すステップと；前記希薄紙料パイプから前記プロセス流動の部分を取り出すステップと；前記化学物質を前記プロセス流動の前記部分へ添加して、混合物を形成するステップと；前記混合物を前記希薄紙料パイプ内へ送り込んで、前記混合物を前記プロセス流動と混合するステップと；を具える、製紙過程において希薄紙料パイプのプロセス流動内へ１又はそれ以上の化学物質を混合する方法を提供する。
【０００５】
本発明は、また、前記希薄紙料パイプと連通する一連の入口と出口の間に位置する１又はそれ以上の側留を前記希薄紙料パイプの周辺に設けるステップであって、前記側留が、前記化学物質を前記側留へ添加することができる１又はそれ以上の開口を具えるステップと；化学物質を供給するための１又はそれ以上の装置を提供し、前記装置が、前記側留の前記開口と連通しているステップと；前記製紙過程を稼働させ、前記希薄紙料パイプを通して前記プロセス流動を流すステップと；前記プロセス流動の部分を前記側留内へ前記希薄紙料パイプの前記入口から取り出すステップと；前記装置によって、前記化学物質を前記側留へ添加して、混合物を形成するステップと；前記混合物を前記出口を通して前記希薄紙料パイプ内へ送り込んで、前記混合物を前記プロセス流動と混合するステップと；を具える、製紙過程において希薄紙料パイプのプロセス流動内へ１又はそれ以上の化学物質を混合する方法を提供する。
【発明を実施するための最良の形態】
【０００６】
「製紙過程」とは、パルプから紙製品を作る方法であって、水性セルロースの製紙用完成紙料を形成するステップと、前記完成紙料をくり出しシートを形成するステップと、シートを乾かすステップとを具える。製紙完成紙料を形成するステップ、くり出すステップ、及び乾かすステップは、当業者にとって一般に公知である従来の方法で行われる。
【０００７】
「希薄紙料パイプ」は、製紙過程の機械のチェストとヘッドボックスの間のパイプラインを意味する。
【０００８】
上に記載したように、本発明は、製紙過程において希薄紙料パイプのプロセス流動内へ１又はそれ以上の化学物質を混合する方法に関する。一実施例では、プロセス流動は、希薄紙料を具える。
【０００９】
側留に添加される化学物質の量及び化学物質の種類は、オペレータに依存する。ある化学物質を所定量使用するプロトコルは、製紙技術の当業者に公知である。当業者は、製紙機械の種類及び所望の最終生成物を含むがこれらに限定されない要素を観察する。一実施例では、プロセス流動から取り出された部分に添加される化学物質は：殺虫剤、補強剤、増白剤、染色剤、フィラー、サイズ剤、保持補助剤、排水補助剤、凝集剤、洗浄補助剤、消泡剤、分散剤、ナノ粒子、マイクロ粒子、固定剤、凝固剤、及びこれらの混合物を含むグループから選択される。さらなる実施例では、化学物質は、一時的、連続的、予め設定されたときに、又は断続的、希薄紙料パイプから取り出されたプロセス流動か側留部分に添加される。
【００１０】
別の実施例では、化学物質は、浄水；希薄紙料；澄んだ濾液；及び白濁水を含むグループから選択されたキャリアによって、側留、プロセス流動又は複数の側留の前記部分へ添加される。
【００１１】
別の実施例では、化学物質を供給するための１又はそれ以上の装置が、１又はそれ以上の化学物質を希薄紙料パイプから取り出されたプロセス流動部分か側留へ添加するために使用される。一実施例では、この装置は１又はそれ以上の投与ポンプである。化学物質を供給する装置の位置は、側留に沿うどの地点にしてもよい。さらに、別の実施例では、化学物質を供給する装置は、側留の出口に近接して設置される。
【００１２】
本発明は、さらに、以下の例に記載されている。この例は、添付した請求の範囲によって規定される発明を限定する意図ではない。
【００１３】
実施例１
図１を参照すると、希薄紙料パイプ（１）が、両方とも希薄紙料パイプ（１）に連通している入口（２）と出口（３）の間に設置されている側留（５）を具えるように改良されている。側留は、１又はそれ以上の化学物質を希薄紙料パイプ（１）へ添加することができる開口（６）と、側留（５）へ化学物質を添加するように機能するこの開口（６）と連通している化学物質を供給する装置（７）とを具えて設けられている。希薄紙料パイプ（１）からプロセス流動（４）の一部が、側留（５）内へ取り出される。次いで、化学物質は、一時的、連続的、予め設定されたとき、又は断続的など所望の方式で化学物質を投与する化学物質を供給する装置（７）によって側留（５）へ添加される。このステップの結果、混合物が形成される。この混合物は、続いて、希薄紙料パイプ（１）のプロセス流動（４）と混合される。
【図面の簡単な説明】
【００１４】
【図１】図１は、本発明に従って、化学物質を希薄紙料パイプ中のプロセス流動内へ混合するための装置の操作を示す概略図である。
【図１】
2009520122.tif 000003
2009520122.tif 000004
2009520122.tif 000005
【国際調査報告】
2009520122.tif 000006